(57)【特許請求の範囲】
【請求項１】
家具本体に対して進退動可能に設けられた抽斗と、この抽斗における鏡板部に設けられた引手部材及びその連動部材の回動にて、前記鏡板部に設けられてバネ力に抗して回動するラッチ体と、
前記家具本体の内側面に設けられ、前記ラッチ体に係脱する係合体とが備えられたラッチ装置であって、
前記鏡板部に設けられた錠前の解施錠操作にて解施錠方向に移動するデッドボルトと、
前記デッドボルトの移動に連動して回動する操作軸と、
前記操作軸に設けられた制限部材とを備え、
前記ラッチ体が前記係合体に係合している状態において、前記錠前の解施錠操作に連動して、前記ラッチ体の側面に対して前記制限部材を遠近位置に移動させて、前記ラッチ体が前記係合体から離脱する動作を選択的に許容または禁止するように構成したことを特徴とするラッチ装置。
【請求項２】
前記制限部材は、前記操作軸の先端部を屈曲形成することにより構成されていることを特徴とする請求項１に記載のラッチ装置。
【請求項３】
前記抽斗における鏡板部の左右両側部位に、前記ラッチ体が設けられ、
前記連動部材と前記操作軸とが平行状に配置され、
前記操作軸の両端部に前記制限部材が設けられていることを特徴とする請求項１または２に記載のラッチ装置。
【請求項４】
前向きに開口した家具本体とその内部に進退動可能に配置した抽斗とを備えており、前記抽斗の鏡板部に請求項１乃至３のいずれかに記載したラッチ装置が設けられているキャビネット。
【発明の詳細な説明】
【技術分野】
【０００１】
本願発明は、家具における抽斗に設けられたラッチ装置及びこのラッチ装置を備えたキャビネットに関するものである。
【背景技術】
【０００２】
家具（例えばキャビネット、ワゴンやシステム収納家具）における抽斗にはラッチ装置を設けていることが多い。特許文献１、２、及び３等に開示されているように、ラッチ装置は、抽斗の鏡板の裏面側に設けられており、抽斗を家具本体内に押し込むときには、バネ力に抗してラッチ体が回動して家具本体の内側面に突出された係合体（係合爪）に自動的に係合する。他方、抽斗を引き出すときには、鏡板の表面側から引手部材を引くと、鏡板内に設けられた連動軸を介してラッチ体をバネ力に抗して解除方向に回動させて、家具本体の係合体から離脱するように構成されている。
【０００３】
ところで、家具本体に多段の抽斗を備えたものにおいて、この多段の抽斗の全てを同時にロックして引き出し動不能にするオールロック装置を備えている場合の他、任意の一つの抽斗のみシリンダ錠にてロックできる構成のものが従来から知られている（特許文献１及び２参照）。
【特許文献１】実公平５−４５７３２号公報
【特許文献２】実公平７−２９２１号公報
【特許文献３】特開２００３−１０６０２４号公報
【発明の開示】
【発明が解決しようとする課題】
【０００４】
特許文献１及び２の構成では、シリンダ錠を鏡板の裏面に固定し、このシリンダ錠におけるデッドボルトを鏡板の側方から家具本体の側板方向に延設し、鏡板の表面側からシリンダ錠の鍵穴に鍵を差し込んで、施錠方向に回動すると、デッドボルトが横向きに前進して、当該デッドボルトの先端部が家具本体の側板に設けられた係合穴に嵌まって、抽斗がロックされて、抽斗が引き出せないように構成されている。しかしながら、この構成では、デッドボルトの長さをあまり長くできないため、シリンダ錠の設置位置が鏡板の側部に限定されてしまうという問題があった。
【０００５】
また、鏡板が左右に長いもの（抽斗の左右寸法が大きいもの）では、当該鏡板の一側のみのロックでは、抽斗を強引に引き出そうとする力を加えると、鏡板の他側が家具本体の前面から離れようとして大きな隙間ができ、確実なロック作用を実現できない。
【０００６】
この不具合を解消しようとすると、鏡板の左右両側に別々にシリンダ錠を配置する必要があり、解施錠も個別にしなければならない。従って、コストが高くなるし、解錠・施錠作業の手間も係るという問題があった。
【０００７】
本願発明は、このような現状を改善すべく成されたものである。
【課題を解決するための手段】
【０００８】
本願請求項１に記載の発明に係るラッチ装置は、家具本体に対して進退動可能に設けられた抽斗と、この抽斗における鏡板部に設けられた引手部材及びその連動部材の回動にて、前記鏡板部に設けられてバネ力に抗して回動するラッチ体と、前記家具本体の内側面に設けられ、前記ラッチ体に係脱する係合体とが備えられたラッチ装置であって、前記鏡板部に設けられた錠前の解施錠操作にて解施錠方向に移動するデッドボルトと、前記デッドボルトの移動に連動して回動する操作軸と、前記操作軸に設けられた制限部材とを備え、前記ラッチ体が前記係合体に係合している状態において、前記錠前の解施錠操作に連動して、前記ラッチ体の側面に対して前記制限部材を遠近位置に移動させて、前記ラッチ体が前記係合体から離脱する動作を選択的に許容または禁止するように構成したものである。
【０００９】
そして、請求項２に記載の発明は、請求項１に記載のラッチ装置において、前記制限部材は、前記操作軸の先端部を屈曲形成することにより構成されているものである。
【００１０】
請求項３に記載の発明は、請求項１または２に記載のラッチ装置において、前記抽斗における鏡板部の左右両側部位に、前記ラッチ体が設けられ、前記連動部材と前記操作軸とが平行状に配置され、前記操作軸の両端部に前記制限部材が設けられているものである。
【００１１】
請求項４に記載のキャビネットは、前向きに開口した家具本体とその内部に進退動可能に配置した抽斗とを備えており、前記抽斗の鏡板部に請求項１乃至３のいずれかに記載したラッチ装置が設けられているものである。
【発明の効果】
【００１２】
請求項１に記載の発明によれば、家具本体に対して進退動可能に設けられた抽斗と、この抽斗における鏡板部に設けられた引手部材及びその連動部材の回動にて、前記鏡板部に設けられてバネ力に抗して回動するラッチ体と、前記家具本体の内側面に設けられ、前記ラッチ体に係脱する係合体とが備えられたラッチ装置であって、前記鏡板部に設けられた錠前の解施錠操作にて解施錠方向に移動するデッドボルトと、前記デッドボルトの移動に連動して回動する操作軸と、前記操作軸に設けられた制限部材とを備え、前記ラッチ体が前記係合体に係合している状態において、前記錠前の解施錠操作に連動して、前記ラッチ体の側面に対して前記制限部材を遠近位置に移動させて、前記ラッチ体が前記係合体から離脱する動作を選択的に許容または禁止するように構成したものであるから、ラッチ体の構造の如何にかかわらず、錠前の解施錠操作に連動して、前記ラッチ体の側面に対して前記制限部材を遠近位置に移動させるだけの簡単な構成で、任意の１つの抽斗を施錠したり、解錠することができる。
【００１３】
請求項２に記載の発明によれば、前記制限部材は、前記操作軸の先端部を屈曲形成することにより構成されているものであるので、構成が至極簡単となり、製造コストも安価となる。
【００１４】
請求項３に記載の発明によれば、抽斗における鏡板部の左右両側部位に、前記ラッチ体が設けられ、前記連動部材と前記操作軸とが平行状に配置され、前記操作軸の両端部に前記制限部材が設けられているものであるので、抽斗の上下寸法の大小の如何にかかわらず、１つの抽斗の左右両側のラッチ体を同時に回動不能または回動許容することができ、且つ、操作軸とラッチ装置の連動部材である回動軸とを平行状に配置できるので、本発明のラッチ装置全体の設計上の自由度が大きくなる。
【００１５】
請求項４に記載のキャビネットは、前向きに開口した家具本体とその内部に進退動可能に配置した抽斗とを備えており、前記抽斗の鏡板部に請求項１乃至３のいずれかに記載したラッチ装置が設けられているものである。
【００１６】
従って、種々の形態のキャビネットに適用できる。
【発明を実施するための最良の形態】
【００１７】
次に、本願発明の実施形態を図面に基づいて説明する。
【００１８】
図１は家具の一例としての抽斗式キャビネットの概略斜視図であり、このキャビネットは、前向きに開口した家具本体１と、３段の抽斗２とを備えている。抽斗２は、その前面を構成する金属板製（スチール製）の鏡板部３と、鏡板部３の背面から後ろ向きに延びるように連結された上向き開口の収納部４とを備えている。敢えて述べるまでもないが、収納部４は同じく金属板製で、底板４ａと左右側板４ｂ（図３では一方のみ示す）と背板（図示せず）とから成っている。
【００１９】
本願発明との直接の関連はないので図では省略しているが、抽斗２は３段式等のサスペンションレールを介して家具本体１に前後動自在に支持されている。なお、重量物を収納するキャビネットの場合やワゴンでは、最下段の抽斗２の鏡板部３に転倒防止用のコロを設ける場合もある。
【００２０】
鏡板部３は、化粧板などからなる前面板５と、この前面板５の裏面側を覆う裏板６とにより構成され、後述するように前面板５と裏板６との間に所定の空間が形成されて、把手装置７や、ラッチ装置（ラッチ機構）９の主要部品が収納できる。また、裏面板６は収納部４の前面板と共用されている。
【００２１】
前面板５の左右両側部を９０度折曲げて左右側片５ａが形成され、前面板５の下端を同じく９０度折曲げて底片（図示せず）が形成される。
【００２２】
裏板６はその広巾面の中央部分６ａと、中央部分６ａから段部６ｂを介して前面板５と平行な側辺部６ｃと上記左右側片５ａの内面に当接する縁片６ｄとを備え、中央部分の垂直板部６ａは側辺部６ｃよりも前面板５に対して大きい間隔で隔てられている。
【００２３】
前面板５及び裏板６の上端間は、合成樹脂製の左右に長い飾り縁片１０が取り付けられている（図２参照）。
【００２４】
前面板５のほぼ左右中央部に穿設された引手穴には、合成樹脂製の引手枠１１が取り付けられ、裏板６に前方に切り起こし形成された板状の複数対の軸支部材１２ａ，１２ｂの丸穴もしくは円弧状凹部に、左右に長手の回動軸１３が水平に配置され、回転自在に軸支されている。回動軸１３のほぼ中央部に固定された把手１４の下端が、上記引手枠１１内に臨んで、これらにより把手装置７が構成されている（図２図４参照）。また、回動軸１３の両端にはクランクアーム部１５が下向きに屈曲形成されている。把手１４が、請求項にいう引手部材であり、回動軸１３及びクランクアーム部１５が請求項にいう連動部材である。
【００２５】
本発明に係るラッチ装置（ラッチ機構）９は、各抽斗２における鏡板部３の左右両側に配置されるもので、合成樹脂製のラッチ体２０と、このラッチ体２０と一体的に回転するように取り付けられた垂直方向の作動軸２１と、その上端等から横向きに延びる当接アーム２１ａとを備える。
【００２６】
ラッチ体２０の基部に作動軸２１が上下方向に貫通するように回動不能に差し込まれ、ラッチ体２０の先端には、係合穴２０ａが穿設されて、家具本体１の側板部１ａの内面に突設した係合体（係合爪）２３に対して係脱できるように構成されている。また、ラッチ体２０の基部から弓型に一体的に突出するバネ片２２を有する。作動軸２１の下部側（ラッチ体２０の上下を挟む箇所）は、裏板６の側辺部６ｃに固定された板状の支持部材２４の丸穴もしくは円弧状凹部に回動自在に軸支されている。作動軸２１の上端部は側辺部６ｃに切り起こし形成された板状の軸支部材２５の丸穴に回動自在に軸支されている（図４参照）。
【００２７】
そして、ラッチ体２０の先端側は、側辺部６ｃに穿設された窓穴２６を通して収納部４の側板４ｂの外側に突出（露出）している（図３参照）。
【００２８】
把手１４にユーザーの指が触らない状態では、図２及び図３に示すように、ラッチ体２０におけるバネ片２２の先端（自由端）が前面板５の裏面に押圧されて、ラッチ体２０が収納部４の側板４ｂとほぼ平行状の姿勢となるように姿勢保持されている。この状態では、作動軸２１の当接アーム２１ａは裏板６の垂直面とほぼ平行に延びており、回動軸１３の端部の下向きのクランクアーム部１５が裏板６に近い側から当接アーム２１ａの裏面側に当接または接触可能状態になっている。
【００２９】
上記の構成により、家具本体１に押し込み状態の抽斗２を前方に引き出すには、把手１４の裏面側に指を掛けて手前に引くと、回動軸１３は図２において、時計回りに回動し、下向きのクランクアーム部１５が当接アーム２１ａを前面板５に接近する方向に回動させる。そうすると、作動軸２１は図３において、反時計回りに回動し、ラッチ体２０の先端側が収納部４の側板４ｂに接近する方向（図３の二点鎖線参照）に回動するので、ラッチ体２０の係合穴２０ａが係合体（係合爪）２３から外れる（離脱する）。この状態で、さらに手前に引くと、抽斗２を前方に引き出すことができる。
【００３０】
なお、本実施形態では、正面視で抽斗２における鏡板部３の左右両端部が家具本体１の側板部１ａに重なっている。
【００３１】
抽斗２を家具本体１に押し込むときには、鏡板部３（前面板５）を手で押すと、収納部４の側板４ｂの外側にて平行状に露出したラッチ体２０が家具本体１の側板部１ａの内面に突設した係合体（係合爪）２３の傾斜面に接触し、その後バネ片２２のバネ付勢力に抗して図３の二点鎖線のようにラッチ体２０が回動する。係合穴２０ａが係合体（係合爪）２３に嵌まり、バネ片２２のバネ付勢力にてラッチ体２０が側板部１ａの内面と平行状に保持されて抽斗２の前移動を阻止するというようなラッチ作用となる。
【００３２】
次に、各抽斗２毎に選択的にロックできる、ロック機構（ロック装置）３０について説明する。本実施形態に係るロック機構（ロック装置）３０は、１つの錠前例えばシリンダ錠３１の解施錠操作にて、各抽斗２における左右両側のラッチ体２０を同時に回動許容または回動不能になるように作動させるものであるが、そのような動作を一方のみのラッチ体２０についてのみ関連させても良い。
【００３３】
ロック機構３０における、水平に延びる丸軸状の操作軸３２と上記シリンダ錠３１とを支持する板体からなる縦長の支持部材３３は、裏板６の前面に溶接などにて固定されている。上下動可能なデッドボルト３４付きのシリンダ錠３１の裏面を左右長手の受け板３５に図示しないビスなどにて固定する。受け板３５の左右両側に穿設された取り付け穴３５ａには、支持部材３３の左右両側から立て起こした支持片３６の先端の係止片３６ａを差込んだ後、当該係止片３６ａを捩じり変形させることで、受け板３５を外れ不能に固定する（図４参照）。
【００３４】
操作軸３２の両端をほぼ９０度屈曲させて制限部材３７を構成し、制限部材３７の先端側（自由端側）を裏板６の側辺部６ｃに穿設された上下長穴３９を通してラッチ体２０の延びる方向と同方向に臨ませる（図４参照）。他方、操作軸３２の長手中央部にはアーム片３８の基端を溶接または穿設した穴に打ち込んで固定する。このアーム片３８の先端側をデッドボルト３４の下端の連結穴４０に遊嵌状態で差し込む（図５参照）。シリンダ錠３１をロック（施錠）方向に操作すると、デッドボルト３４は上昇し、アーム片３８を介して操作軸３２を図５のように回動させる。そうすると、制限部材３７の先端部が上昇回動して、ラッチ体２０の背面側（係合体２３と反対側）の側面に接近する。これにより、ラッチ体２０が回動不能となり、ロックできるのである。
【００３５】
左右長手の操作軸３２は、支持部材３３の下部左右両側から立て起こした下部支持片４１の上辺に上向き開放させた凹部（図示せず）に回動自在に軸支される一方、支持部材３３に固定した覆い部材４２の両端部４２ａを下向きに折曲げて（図４の二点鎖線状態から実線状態参照）、操作軸３２が下部支持片４１から脱落しないように拘束する。さらに、段部６ｂの近傍の垂直板部６ａに固定した補助支持部材４３の上辺に上向き開放させた凹部４４に操作軸３２を回動自在に軸支させる（その場合、凹部４４の上方の屈曲片４３ａを断面Ｌ字状に予め折曲げておく）と共に、凹部４４に操作軸３２を載置した後に、上方の屈曲片４３ａを補助支持部材４３と平行状となるように屈曲姿勢を戻し、操作軸３２の浮き上がりを防止している（図６参照）。
【００３６】
上述の構成により、任意の一つの抽斗２をロック（引出し動不能に）するには、押し込み状態の抽斗におけるシリンダ錠３１に鍵（図示せず）を差込み、施錠方向に回動すると、デッドボルト３４が上昇し、アーム片３８を介して操作軸３２を図５のように回動させる。そうすると、制限部材３７の先端部が上昇回動して、ラッチ体２０の背面側（係合体２３と反対側）の側面に接近する。これにより、抽斗２の左右両側のラッチ体２０が同時に回動不能となり、ロックできるのである。
【００３７】
解錠するときは、上記と逆にして、デッドボルト３４を下降状態にすることで、制限部材３７の先端部が下向き回動して、ラッチ体２０の背面側から遠ざかるように離間するので、上述のように、把手１４を引くことでラッチ体２０が係合体２３から離脱でき、抽斗２を前移動させることができるのである。
【００３８】
本発明によれば、抽斗２の上下寸法が大きく、ラッチ体２０に上下に長い作動軸２１を取り付け、その先端に当接アーム２１ａを形成したものや、逆に抽斗２の上下寸法が短くて、ラッチ体２０の基部に直接当接アーム２１ａを形成したもののいずれでも、ラッチ体２０の側面に対して制限部材３７を遠近動するように、操作軸３２とラッチ装置の連動部材である回動軸１３とを平行状に配置できるので、本発明のラッチ装置全体の設計上の自由度が大きくなる。
【００３９】
また、本発明のロック機構３０は、シリンダ錠３１などの錠前を１つだけ操作することで、１つの抽斗２の左右両側のラッチ体２０を同時に解錠・施錠できるので、操作が至極簡単となる。また、左右に長い抽斗２の左右両側のラッチ体２０を同時に施錠できるので、抽斗２を不正に開くことを確実に防止できる。
【００４０】
なお、本発明では、鏡板部３のうち前面板５の裏面側に、回動軸１３、ラッチ装置９、及びロック機構３０の各部品を装着する構成であっても良い。また、前面板５を合成樹脂製にて形成しても良い。さらに、ロック機構３０における錠前は、デッドボルトを備えていれば、シリンダ錠に代えて、ダイヤル錠等他の形式の錠前であっても良い。また、ラッチ装置９のラッチ体は回動式には限らず、出没式であってもよい。さらに、ラッチ体が上下方向に回動することにより、家具本体の係合体に対して係脱する構成に対しても本発明は適用できる。
【図面の簡単な説明】
【００４１】
【図１】本発明に係るキャビネットの概略斜視図である。
【図２】ラッチ装置全体の側断面図である。
【図３】図２の III−III 線矢視断面図である。
【図４】図２のIV−IV線矢視断面図である。
【図５】デッドボルトと操作軸との連動部を示す一部切欠き斜視図である。
【図６】操作軸の補助支持部材の形態を示す斜視図である。
【符号の説明】
【００４２】
１  家具本体
２  抽斗
３  鏡板部
４  抽斗の収納部
５  前面板
６  裏板
７  把手装置
９  ラッチ装置
１３  回動軸
１４  把手
１５  クランクアーム部
２０  ラッチ体
２１  作動軸
２１ａ  当接アーム
２２  バネ片
２３  係合体
３０  ロック機構
３１  シリンダ錠
３２  操作軸
３４  デッドボルト
３７  制限部材
【図１】
0004874926.tif 000002
【図２】
0004874926.tif 000003
【図３】
0004874926.tif 000004
【図４】
0004874926.tif 000005
【図５】
0004874926.tif 000006
【図６】
0004874926.tif 000007